(57)【要約】【課題】本発明は、橋梁や高速道路などの路面床版取り替え作業においてスムーズで簡単に床版の取り替え装置の現場設置が行え、作業終了後にはスムーズで簡単に床版の取り替え装置を車両に載置出来て撤去でき、もって床版取り替え作業がスムーズで簡単に行える床版取り替え装置および該床版取り替え装置の設置工法を提供することを目的とする。【解決手段】水平方向に向かい配置された略四角形枠体をなす上部枠および、上部枠の四隅コーナー部から主脚および斜脚を有し、上部枠の内側には床版吊り具が取り付け可能とされた床版取り替え装置であり、前記主脚は上部枠から水平方向に引き出し可能とされてなると共に、引き出し後は垂下方向に伸張し設置面上に当接して設置面上の架設を可能としてなり、斜脚は上部枠との連結部を回動軸として回動し、斜脚の先端側が主脚の先端側に接続して取り付けられ、主脚の補強材として機能することを特徴とする。【選択図】  図１
2018155017.tif 000002
【特許請求の範囲】
【請求項１】
水平方向に向かい配置された略四角形枠体をなす上部枠および該上部枠の四隅コーナー部から垂下して取り付けられた４本の主脚および４本の斜脚を有し、前記上部枠の内側には、床版吊り具が取り付け可能とされた床版取り替え装置であり、
前記４本の主脚は、上部枠から外側に向かい水平方向に引き出し可能とされてなると共に、引き出し後は、垂下方向に伸張し、設置面上に当接して、床版取り替え装置の設置面上の架設を可能としてなり、
前記斜脚は前記上部枠との連結部を回動軸として回動し、斜脚の先端側が前記主脚の先端側に接続して取り付けられ、前記主脚の補強材として機能する、
ことを特徴とする床版取り替え装置。
【請求項２】
移動装置に載置された請求項１の床版取り替え装置の現場での設置工法であり、
現場において、前記移動装置に載置された床版取り付け装置は、設置すべき路面の進行方向と直交する方向に上部枠の引き出し部を引き出して車両より外側に張り出させ、次いで、前記引き出し部の基部より垂下して伸張する垂下伸張部を伸ばして該垂下伸張部の先端を現場の路面に当接させて前記床版取り替え装置を前記移動装置の載置台より離間させ、ついで、上部枠に接続されている斜脚の先端を主脚の先端と接続させて、前記斜脚を主脚の補強材とし、その状態から再度主脚と斜脚を伸ばし、所定の高さに床版取り替え装置を設置する、
ことを特徴とする床版取り替え装置の設置工法。  
【発明の詳細な説明】
【技術分野】
【０００１】
本発明は、高速道路などの路面において該路面に敷設してある床版を剥がし、新しい床版に貼り替える際に使用される床版取り替え装置および該床版取り替え装置の設置工法に関するものである。
【背景技術】
【０００２】
従来より、構造物、例えば高速道路の路面を構成する床版の取り替え装置および取り替え工法は、各種提案されている。例えば、特開２００４−３００６８８号公報に記載された自走式プレキャスト床版架設機も本件発明の出願人が出願したものである。
【先行技術文献】
【特許文献】
【０００３】
【特許文献１】特開２００４−３００６８８号公報
【発明の概要】
【発明が解決しようとする課題】
【０００４】
本発明は、従来、各種提案されている床版の取り替え装置および取り替え工法をさらに改良したものであって、橋梁や高速道路などの路面床版取り替え作業においてスムーズで簡単に床版の取り替え装置の現場設置が行え、作業終了後にはスムーズで簡単に床版の取り替え装置を車両に載置出来て撤去でき、もって床版取り替え作業がスムーズで簡単に行える床版取り替え装置および該床版取り替え装置の設置工法を提供することを目的とするものである。
【課題を解決するための手段】
【０００５】
本発明は、
水平方向に向かい配置された略四角形枠体をなす上部枠および該上部枠の四隅コーナー部から垂下して取り付けられた４本の主脚および４本の斜脚を有し、前記上部枠の内側には、床版吊り具が取り付け可能とされた床版取り替え装置であり、
前記４本の主脚は、上部枠から外側に向かい水平方向に引き出し可能とされてなると共に、引き出し後は、垂下方向に伸張し、設置面上に当接して、床版取り替え装置の設置面上の架設を可能としてなり、
前記斜脚は前記上部枠との連結部を回動軸として回動し、斜脚の先端側が前記主脚の先端側に接続して取り付けられ、前記主脚の補強材として機能する、
ことを特徴とし、
または、
移動装置に載置された前記床版取り替え装置の現場での設置工法であり、
現場において、前記移動装置に載置された床版取り付け装置は、設置すべき路面の進行方向と直交する方向に上部枠の引き出し部を引き出して車両より外側に張り出させ、次いで、前記引き出し部の基部より垂下して伸張する垂下伸張部を伸ばして該垂下伸張部の先端を現場の路面に当接させて前記床版取り替え装置を前記移動装置の載置台より離間させ、ついで、上部枠に接続されている斜脚の先端を主脚の先端と接続させて、前記斜脚を主脚の補強材とし、その状態から再度主脚と斜脚を伸ばし、所定の高さに床版取り替え装置を設置する、
ことを特徴とするものである。
【発明の効果】
【０００６】
本発明によれば、
橋梁や高速道路などの路面床版取り替え作業においてスムーズで簡単に床版の取り替え装置の現場設置が行え、作業終了後にはスムーズで簡単に床版の取り替え装置を車両に載置出来て撤去でき、もって床版取り替え作業がスムーズで簡単に行える床版取り替え装置および該床版取り替え装置の設置工法が提供できるとの優れた効果を奏する。
【発明を実施するための形態】
【０００７】
以下、本発明の実施例を図に基づいて説明する。
図１乃至図５に本発明による床版取り替え装置１のいわゆる高速道路の路面上などの工事現場での設置工法の手順を示す。
【０００８】
ここで、まず、床版取り替え装置１の概略構成を説明すると、符号２は上部枠を示し、該上部枠は、水平方向に向って配置された略四角形枠体をなして構成されている。そして、この上部枠２の四隅コーナー部からは、各々垂下して取り付けられた４本の主脚３および４本の斜脚４が設けられている。
また、前記上部枠２の内側部分には、床版吊り具５が取り付けられるものとなっている。
【０００９】
さらに、上部枠２から、該上部枠２の幅方向外側に向かい水平方向に引き出し可能とされてなる引き出し部６が設けられている。よって、４本の主脚３の先端側からは、おのおの４本の引き出し部６が幅方向水平方向に引き出される構成となる。
【００１０】
さらに、前記引き出し部６の引き出し後は、その引き出し部６の先端部から垂下方向に伸張し、例えば高速道路の路面などの設置面１３上に当接する垂下伸張部７を有しており、この垂下伸張部７の伸張により、床版取り替え装置１自体を保持すべく、床版取り替え装置１自体を後述する車両８の荷台９から浮かせられる構成とされている。この垂下伸張部７も４本設けられるものとなる。
【００１１】
よって、本発明の床版取り替え装置１は、自力で車両８の荷台９に乗り込ませて載置させることが出来るし、車両８の荷台９などに載置してこの床版取り替え装置１を運搬した後、自力で、すなわち床版取り替え装置１が自ら有する部材の構造で高速道路の路面上などの設置面１３に設置、架設することが出来るのである。
【００１２】
ここで、前記斜脚４については前記上部枠２との連結部１０を回動軸として回動出来るようにしてあり、斜脚４を回動させた後、斜脚４の先端側１１が垂下伸張部７の先端側１２に接続して取り付け、もって、斜脚４を、主脚３の補強材として機能させている。
【００１３】
図１は、車両８の荷台に載置して本発明による床版取り替え装置１を高速道路の路面上など工事現場に運搬する状態を示した図であり、図２乃至図５は床版取り替え装置１を、床版取り替え装置１が自ら有している構造によって自力で車両８の荷台９から降ろすことが出来、かつ自力で高速道路の路面上に設置できる工程を示したものである。
【００１４】
まず、図２に示してあるように、上部枠２の幅方向先端から上部枠２の幅方向外側に向かい水平方向に引き出せる引き出し部６を上部枠２の四隅部４箇所から所定長さ引き出すことにより始まる。
【００１５】
次いで、前記引き出し部６の引き出し後は、その引き出し部６の先端部から４本の垂下伸張部７をおのおの垂下方向に伸張させ、設置面１３上に当接させる。
【００１６】
この垂下伸張部７の伸張により、床版取り替え装置１自体の重量を自力で保持することとなり、床版取り替え装置１自体を車両８の荷台９から浮かせることができる。      
そして、図３に示すように、斜脚４の先端側１１も車両８の荷台９から浮くことになるので、この斜脚４につき、前記上部枠２との連結部１０を回動軸として外側に回動させ、斜脚４の先端側１１を垂下伸張部７の先端側１２に接続する。
尚、斜脚４についてもその長手方向に伸張できる構成とされており、伸びた垂下伸張部７と同様に該斜脚４も伸び、垂下伸張部７の先端側１２と接続されるものとなる。
【００１７】
図４、図５のように、所定位置の高さ、即ち床版取り替え装置１の床版吊り具５が支障なく作業できる高さ位置まで主脚３および斜脚４を伸ばした後、その伸ばした箇所でおのおの固定し、床版取り替え装置１の工事現場での設置が終了する。
【００１８】
ここで、床版取り替え装置１の設置が完了した後、床版取り替え装置１を運搬した車両８を撤去させる。
【００１９】
次に、本発明による床版取り替え装置１を稼働し、床版吊り具５によってすでに、床版剥がし装置（図示せず）などで剥がされた既設の床版を吊り上げ、吊り上げた床版は運搬用に使用する車両８の荷台に移動して載置する。
その後、剥がした床版が所定重量載置された車両８によって運搬され、所定の場所まで搬送される。
【００２０】
次に、新しい床版を積み込んだ車両８を図８に示す位置まで搬送する。
その後、新しい床版１４を吊り具５などによってすでに既設の床版１４を剥がした位置まで移動させ、新しい床版１４の貼り替え作業が順次繰り返し行われる。
【図面の簡単な説明】
【００２１】
【図１】本発明による床版取り替え装置の設置工法を説明する説明図（１）である。
【図２】本発明による床版取り替え装置の設置工法を説明する説明図（２）である。
【図３】本発明による床版取り替え装置の設置工法を説明する説明図（３）である。
【図４】本発明による床版取り替え装置の設置工法を説明する説明図（４）である。
【図５】本発明による床版取り替え装置の設置工法を説明する説明図（５）である。
【図６】本発明による床版取り替え装置を車両の荷台に積んで運搬する状態を説明する説明図である。
【図７】本発明による吊り具の概略構成を説明する平面図である。
【図８】本発明による床版取り替え装置の使用状態を説明する使用状態説明図である。
【符号の説明】
【００２２】
１     床版取り替え装置
２     上部枠
３     主脚
４     斜脚
５     床版吊り具
６     引き出し部
７     垂下伸張部
８     車両
９     荷台
１０   連結部
１１   斜脚の先端側
１２   垂下伸張部の先端側
１３   設置面
１４   床版
【図１】
2018155017.tif 000003
【図２】
2018155017.tif 000004
【図３】
2018155017.tif 000005
【図４】
2018155017.tif 000006
【図５】
2018155017.tif 000007
【図６】
2018155017.tif 000008
【図７】
2018155017.tif 000009
【図８】
2018155017.tif 000010